(57)【要約】【課題】収納型ディスプレイユニットのディスプレイ部をモニタリング状態にした場合においても、ディスプレイ部の背面側の後方に配設された、その他の機器の操作を妨げることのない電子機器を提供する。【解決手段】映像を表示するディスプレイ部と、ディスプレイ部と回動自在に接続され、ディスプレイ部を水平方向へ移動させる移動手段と、ディスプレイ部を回動させる回動手段とを有し、ディスプレイ部が所望する角度に設定できると共に、ディスプレイ部を箱体内部に出し入れ可能とした収納型ディスプレイユニットとオーディオ装置とからなる電子機器において、ディスプレイ部がモニタリング状態時にオーディオ装置の前面部が、ディスプレイ部の背面側の後方に構成されるように収納型ディスプレイユニットに重積し、それぞれが一体に接続固定されていることを特徴とする。【選択図】図１
2004314777.tif 000002
【特許請求の範囲】
【請求項１】
映像を表示するディスプレイ部と、該ディスプレイ部と回動自在に接続され、該ディスプレイ部を水平方向へ移動させる移動手段と、該ディスプレイ部を回動させる回動手段とを有し、該ディスプレイ部が所望する角度に設定できると共に、該ディスプレイ部を箱体内部に出し入れ可能とした収納型ディスプレイユニットと本体装置とからなる電子機器において、
前記ディスプレイ部がモニタリング状態時に前記本体装置の前面部を覆う位置に構成されるように前記収納型ディスプレイユニットと一体に接続固定されていることを特徴とする電子機器。
【請求項２】
前記収納型ディスプレイユニットが、前記本体装置の下面側に配設されていることを特徴とする請求項１に記載の電子機器。
【請求項３】
前記ディスプレイ部の外周上端面部には、前記本体装置の操作部が配設されていることを特徴とする請求項１または請求項２に記載の電子機器。
【請求項４】
前記ディスプレイ部が収納された時には、前記外周上端面部と前記前面部とが前記電子機器の意匠面となることを特徴とする請求項１乃至請求項３に記載の電子機器。
【請求項５】
収納された前記ディスプレイ部の先端部が前記前面部より突出するように突出部を設け、該突出部の天面に前記本体装置の操作機能が設けられていることを特徴とする請求項１乃至請求項４に記載の電子機器。
【発明の詳細な説明】
【０００１】
【発明の属する技術分野】
本発明は、収納型ディスプレイユニットを有する電子機器に関する。
【０００２】
【従来の技術】
従来の収納型ディスプレイユニットを有する車載用の電子機器を図７および図８を用いて説明する。
【０００３】
図７は従来例の電子機器の構成を示す概略側面図（収納型ディスプレイユニットのモニタリング状態）である。図８は従来例の電子機器を示す概略正面図（収納型ディスプレイユニットの収納状態）である。
【０００４】
５０は車両のダッシュボード部などに装着して用いられる車載用の電子機器で、本体装置（メインユニット）の一例であるオーディオ装置６０、収納型ディスプレイユニット７０などにより構成されており、収納型ディスプレイユニット７０がオーディオ装置６０の天面側に重積され、それぞれは背面側で電気的に接続されている。
【０００５】
オーディオ装置６０は２ＤＩＮサイズの機器で、箱状の筐体の内部に例えば、ラジオ、テレビジョン、記憶媒体（ＣＤ，ＭＤ，ＤＶＤなど）の再生・記録機構、ナビゲーション装置などが一体に構成されている。筐体の前面にはオーディオ装置６０の意匠面となる前面ユニット６１が構成されており、前面ユニット６１には記憶媒体の挿入排出口６２、操作用の釦６３および液晶表示部６４などが設けられている。
【０００６】
収納型ディスプレイユニット７０は、映像を表示するディスプレイ部７１と、スライダ７５、箱状の筐体、制御基板などにより構成されている。
【０００７】
ディスプレイ部７１は、液晶表示素子ユニットなどを備えたパネル状をしており、左右の両側面には、箱状の筐体に設けられたガイドピンに係合するガイド溝が形成されている。また、ディスプレイ部７１の下端部は、回動支軸７２で後述するスライダ７５と回動自在に連結されており、ディスプレイ部７１を所望する傾斜角度に回動させるためのハーフギアーが、回動支軸７２と同軸線状に固定されている。尚、ディスプレイ部７１は、ハーフギアーに歯合する歯車の回転方向、即ち、スライダ７５に設けられた回動側のモータの回転方向を変えることにより、ディスプレイ部７１の回動方向と傾斜角度を変えることができる。
【０００８】
スライダ７５は、ディスプレイ部７１を水平方向（出し入れ方向）に移動させたり、回動させるための移動体である。スライダ７５の底部の両側面には側壁部が立設しており、側壁部の前面側はディスプレイ部７１と回動支軸７２で連結されている。スライダ７５の側壁部には、箱状の筐体に設けられたガイドレールの内径に係合する例えばミニチュアベアリングなどからなるガイド部が設けられている。
【０００９】
また、スライダ７５にはディスプレイ部７１を回動させるための回動用モータが設けられている。回動用モータの回転軸にはウオームが固定されており、ウオームと歯合するウオーム歯車をはじめ複数の歯車の組み合わせからなる回動側の歯車列の終端に設けられた歯車が、ディスプレイ部７１に固定されたハーフギアーに歯合するように設けられている。尚、回動用モータの回転方向を変えることにより、ディスプレイ部７１の回動方向が変わるようになっている。
【００１０】
また、スライダ７５にはディスプレイ部７１を水平方向（出し入れ方向）に移動させための移動用モータが設けられている。移動用モータの回転軸には、ウオームが固定されており、ウオームと歯合するウオーム歯車をはじめ複数の歯車の組み合わせからなる移動側の歯車列の終端に設けられたピニオンが、箱状の筐体に設けられたラックに歯合するように設けられている。尚、移動用モータの回転方向を変えることにより、ディスプレイ部７１の水平方向の移動方向が変わるようになっている。
【００１１】
箱状の筐体には、ディスプレイ部７１およびスライダ７５などが収納されており、筐体と蓋（図示省略）などにより構成されている。筐体は底部の両側面に側壁部が立設しており、側壁部にはディスプレイ部７１を水平方向（ディスプレイ部７１の出し入れ方向）に移動させるときに、スライダ７５のガイドとなるガイドレールが設けられている。ガイドレールは、断面形状がコ字形状をしたレールで開口側を左右対向させて設けられている。また、側壁部の前面部近傍にはディスプレイ部７１のガイドとなるガイドピンが左右対向させて設けられている。その他に、筐体の底部の両側にはディスプレイ部７１の出し入れ方向に延在してスライダ７５に設けられたピニオンと歯合するラックが設けられている。
【００１２】
制御基板は、収納型ディスプレイユニット７０の駆動動作を制御する基板で、マイクロコンピュータ（マイコン）、ＲＡＭ・ＲＯＭなどのメモリ、フォトセンサなどの電子部品が実装されている。メモリには、予め収納型ディスプレイユニット７０の駆動動作のプログラムが記録されており、プログラムに沿って自動制御が行われる。
【００１３】
この出願の発明に関する先行技術文献としては次のものがある。
【００１４】
【特許文献１】
実開平５−３０４３号公報
【００１５】
【発明が解決しようとする課題】
しかし、上述の電子機器５０では、収納型ディスプレイユニット７０がオーディオ装置６０の天面側に構成されており、ディスプレイ部７１をモニタリング状態にした場合には、電子機器５０の上方向に立ち上がるので、ディスプレイ部７１の背面側の後方にあたるダッシュボード９０に配設された、例えば、エアコンの操作ボタン９１などが隠れ操作ができなくなる。このような状態でエアコンの操作が必要な場合には、ディスプレイ部７１の視認角度を水平方向へ変えたり、または、収納するなど余分な操作が必要となる。
【００１６】
その他に、収納型ディスプレイユニット７０とオーディオ装置６０とが別体となっているので、電子機器５０の取扱と、車両への取付などに手間がかかる。
【００１７】
尚、上述の先行技術文献の特許文献１に開示されたものは、車載用ディスプレイ装置に関するものであるが、その使用方法が１ＤＩＮサイズのオーディオ装置と組み合わせて使われる内容となっており、サイズは異なるが従来例の説明と略近い内容となっているので、上述の課題の内容と同じ改善が必要となる。
【００１８】
本発明は、上述の問題を解決するもので、収納型ディスプレイユニットのディスプレイ部をモニタリング状態にした場合においても、ディスプレイ部の背面側の後方に配設された、その他の機器の操作を妨げることのない電子機器を提供することを目的とする。
【００１９】
【課題を解決するための手段】
本発明は上述の目的を達成するもので、映像を表示するディスプレイ部と、該ディスプレイ部と回動自在に接続され、該ディスプレイ部を水平方向へ移動させる移動手段と、該ディスプレイ部を回動させる回動手段とを有し、該ディスプレイ部が所望する角度に設定できると共に、該ディスプレイ部を箱体内部に出し入れ可能とした収納型ディスプレイユニットと本体装置とからなる電子機器において、前記ディスプレイ部がモニタリング状態時に前記本体装置の前面部を覆う位置に構成されるように前記収納型ディスプレイユニットと一体に接続固定されていることを特徴とするものである。
【００２０】
また、前記収納型ディスプレイユニットが、前記本体装置の下面側に配設されていることを特徴とするものである。
【００２１】
また、前記ディスプレイ部の外周上端面部には、前記本体装置の操作部が配設されていることを特徴とするものである。
【００２２】
また、前記ディスプレイ部が収納された時には、前記外周上端面部と前記前面部とが前記電子機器の意匠面となることを特徴とするものである。
【００２３】
また、収納された前記ディスプレイ部の先端部が前記前面部より突出するように突出部を設け、該突出部の天面に前記本体装置の操作機能が設けられていることを特徴とするものである。
【００２４】
【発明の実施の形態】
収納型ディスプレイユニットを有する本発明の電子機器を車載用として用いた場合の第一実施の形態を図１、図２、図３および図４を用いて説明する。
【００２５】
図１は本発明の第１実施の形態に係る電子機器の構成を示す概略側面図（収納型ディスプレイユニットのモニタリング状態）である。図２は本発明の第１実施の形態に係る電子機器を示す概略側面図（収納型ディスプレイユニットの収納状態）である。図３は本発明の第１実施の形態に係る電子機器を示す概略正面図（収納型ディスプレイユニットの収納状態）である。図４は本発明の第１実施の形態と一部が異なる電子機器の構成を示す概略側面図である。
【００２６】
１０は車両のダッシュボード部などに装着して用いられる車載用の電子機器で、本体装置（メインユニット）の一例であるオーディオ装置２０、収納型ディスプレイユニット３０などにより構成されている。電子機器１０は、収納型ディスプレイユニット３０のディスプレイ部３１をモニタリング状態において、オーディオ装置２０の前面部２２がディスプレイ部３１の背面側の後方に構成されるように、収納型ディスプレイユニット３０の天面上にオーディオ装置２０を重積し、それぞれの当接面部でフレキシブル基板により電気的に接続した後に一体にねじ止め固定される。
【００２７】
オーディオ装置２０は２ＤＩＮサイズの機器で、箱状の筐体の内部に例えば、ラジオ、テレビジョン、記憶媒体（ＣＤ，ＭＤ，ＤＶＤ）などの再生・記録機構、ナビゲーション装置などが一体に構成されている。筐体の前面部にはオーディオ装置２０の意匠面となる前面ユニット２１が構成されている。前面ユニット２１の前面部２２には記憶媒体の挿入排出口２３および操作用の釦２４などが設けられており、前面ユニット２１は筐体の前面部にねじ止めされている。尚、操作用の釦２４の一部は、収納型ディスプレイユニット３０のディスプレイ部３１を収納した時の前面部（外周上端部３３）に分設されている。
【００２８】
収納型ディスプレイユニット３０は、映像を表示するディスプレイ部３１と、スライダ３５、箱状の筐体および制御基板などにより構成されている。
【００２９】
ディスプレイ部３１は、液晶表示素子ユニットなどを備えたパネル状をしており、左右の両側面には、箱状の筐体に設けられたガイドピンに係合するガイド溝が形成されている。また、ディスプレイ部３１の下端部は、回動支軸３２で後述するスライダ３５と回動自在に連結されており、ディスプレイ部３１を所望する傾斜角度に回動させるためのハーフギアーが、回動支軸３２と同軸線状に固定されている。尚、ディスプレイ部３１は、ハーフギアーに歯合する歯車の回転方向、即ち、スライダ３５に設けられた回動側のモータの回転方向を変えることにより、ディスプレイ部３１の回動方向と傾斜角度を変えることができる。
【００３０】
また、ディスプレイ部３１の外周上端面３３には、オーディオ装置２０の操作機能の一部を操作できる釦３４が分設されており、ディスプレイ部３１が箱状の筐体に収納された状態の収納型ディスプレイユニット３０では、収納型ディスプレイユニット３０の外周上端面３３（収納時の前面部に相当）と、オーディオ装置２０の前面部２２とが電子機器の意匠面となる。
【００３１】
スライダ３５は、ディスプレイ部３１を水平方向（出し入れ方向）に移動させたり、回動させるための移動体である。スライダ３５の底部の両側面には側壁部が立設ており、側壁部の前面側はディスプレイ部３１と回動支軸３２で連結されている。スライダ３５の側壁部には、スライダ７５の側壁部には、箱状の筐体に設けられたガイドレールの内径に係合する例えばミニチュアベアリングなどからなるガイド部が設けられている。
【００３２】
また、スライダ３５にはディスプレイ部３１を回動させるための回動用モータが設けられている。回動用モータの回転軸にはウオームが固定されており、ウオームと歯合するウオーム歯車をはじめ複数の歯車の組み合わせからなる回動側の歯車列の終端に設けられた歯車が、ディスプレイ部３１に固定されたハーフギアーに歯合するように設けられている。尚、回動用モータの回転方向を変えることにより、ディスプレイ部３１の回動方向が変わるようになっている。
【００３３】
また、スライダ３５にはディスプレイ部３１を水平方向（出し入れ方向）に移動させための移動用モータが設けられている。移動用モータの回転軸にはウオームが固定されており、ウオームと歯合するウオーム歯車をはじめ複数の歯車の組み合わせからなる移動側の歯車列の終端に設けられたピニオンが、箱状の筐体に設けられたラックに歯合するように設けられている。尚、移動用モータの回転方向を変えることにより、ディスプレイ部３１の水平方向の移動方向が変わるようになっている。
【００３４】
箱状の筐体には、ディスプレイ部３１およびスライダ３５などが収納されさており、筐体と蓋（図示省略）などにより構成されている。筐体は底部の両側面に側壁部が立設しており、側壁部にはディスプレイ部３１を水平方向（ディスプレイ部３１の出し入れ方向）に移動させるときに、スライダ３５のガイドとなるガイドレールが設けられている。ガイドレールは、断面形状がコ字形状をしたレールで開口側を左右対向させて設けられている。また、側壁部の前面部近傍にはディスプレイ部３１のガイドとなるガイドピンが左右対向させて設けられている。その他に、筐体の底部の両側にはディスプレイ部３１の出し入れ方向に延在してスライダ３５に設けられたピニオンと歯合するラックが設けられている。
【００３５】
制御基板は、収納型ディスプレイユニット３０の駆動動作を制御する基板で、マイクロコンピュータ（マイコン）、ＲＡＭ・ＲＯＭなどのメモリ、フォトセンサなどの電子部品が実装されている。メモリには、予め収納型ディスプレイユニット３０の駆動動作のプログラムが記録されており、プログラムに沿って自動制御が行われる。
【００３６】
以上説明したように本発明の第１実施の形態に係る電子機器１０によれば、収納型ディスプレイ装置３０をオーディオ装置２０の下面側に配設し、ディスプレイ部３１をオーディオ装置２０の前方に立ち上げモニタリング状態とするので、電子機器１０の占有面積を最小にすることができる。したがって、ディスプレイ部３１がモニタリング状態において、ダッシュボード９０に配設された、例えば、エアコンの操作釦９１などがディスプレイ部３１の背面側に隠れ操作ができなくなると言う不具合を解消することができる。
【００３７】
また、ディスプレイ部３１の外周上端面３３にオーディオ装置２０の操作機能の一部（操作用の釦）を配設することにより、ディスプレイ部３１がモニタリング状態においても、オーディオ装置３１の例えばＣＤを操作することができる。その他に、オーディオ装置３１の操作機能の一部をディスプレイ部３１に分設することにより、オーディオ装置２０の前面部２２に余裕のスペースができるので、例えば、液晶表示部２５を大きくしたり意匠面を充実させることができる。
【００３８】
また、収納型ディスプレイ装置３０とオーディオ装置２０を一体に固定することにより電子機器１０の取扱と、車両への取付などが容易となる。
【００３９】
また、オーディオ装置２０の前面ユニット２１が筐体にねじ止めされているので着脱が容易となり、本体内部に設けられたハードディスク（ＨＤＤ）の取り替えなどが容易になる。
【００４０】
尚、本発明の第１実施の形態では収納型ディスプレイ装置３０をオーディオ装置２０の下面側に配設したが、図４で示すように収納型ディスプレイ装置３０をオーディオ装置２０の上面側に配設固定し、ディスプレイ部３１をオーディオ装置２０の前方に回動させてモニタリング状態となるようにすることにより、上述の効果と同じ効果を得ることができる。
【００４１】
その他に、収納型ディスプレイ装置３０とオーディオ装置２０とを重積し、当接面同士をねじにより固定したが、これに限らず収納型ディスプレイ装置３０またはオーディオ装置２０のいずれか一方の箱体の側面から延在するねじ止部を形成し、他方の箱体にねじ止部に相当する位置にねじ孔を設け、収納型ディスプレイ装置３０とオーディオ装置２０を側面で固定することができる。このような固定方法をとれば、当接部のいずれかの蓋を削減することができる。したがって、蓋のコストが削減できると共に重量の軽減にもつながる。
【００４２】
本発明の第２実施の形態を図５および図６を用いて説明する。
【００４３】
図５は本発明の第２実施の形態に係る電子機器の構成を示す概略側面図（収納型ディスプレイユニットのモニタリング状態）である。図６は本発明の第２実施の形態に係る電子機器を示す概略側面図（収納型ディスプレイユニットの収納状態）である。尚、本発明は第１実施の形態の収納型ディスプレイ装置の一部を変更したもので、第１実施の形態と略同じであるので、同じ構成については同じ符号を付し説明を簡略または省略し、第１実施の形態と異なる部分を重点に説明する。
【００４４】
１１は車載用の電子機器で、オーディオ装置２０、収納型ディスプレイユニット４０などにより構成されている。
【００４５】
４０は収納型ディスプレイユニットで、映像を表示するディスプレイ部４１と、スライダ３５、箱状の筐体および制御基板などにより構成されている。
【００４６】
ディスプレイ部４１は、液晶表示素子ユニットなどを備えたパネル状をしており、ディスプレイ部４１の下端部は、回動支軸３２でスライダ３５と回動自在に連結されており、ディスプレイ部４１を所望する傾斜角度（視認角度）および所望する回転方向に回動させるためのハーフギアーが、回動支軸３２と同軸線状に固定されている。
【００４７】
また、ディスプレイ部４１の背面側の上端部には前面部方向へ傾斜するように形成された傾斜面４２と、傾斜面４２の両側面にはオーディオ装置２０の操作機能の一部を操作できる釦４３が分設されている。ディスプレイ部４１は筐体に収納された状態で、傾斜面４２の部分が筐体の前面から突出して突出部４４が構成されており、収納型ディスプレイユニット４０の突出部４４と、オーディオ装置２０の前面部２２とが電子機器の意匠面となる。
【００４８】
以上説明したように本発明の第２実施の形態に係る電子機器１１によれば、収納型ディスプレイ装置４０のディスプレイ部４１の突出部４４にオーディオ装置２０の操作機能の一部を操作できる釦４３を分設することにより、オーディオ装置２０の前面部２２に余裕のスペースができるので、例えば、液晶表示部２５を大きくしたり意匠面を充実させることができる。
【００４９】
また、ディスプレイ部４１はオーディオ装置２０の前面部２２から突出するように突出部４４が形成されており、突出部４４の分だけディスプレイ部４１を大きくすることができるので、所望する大画面化に対応することができる。
【００５０】
尚、本発明の第１および第２実施の形態では、車両用に用いられる２ＤＩＮサイズの機器について説明したが、これに限らず、所望するサイズの機器と所望する用途の機器にも適用することができる。
【００５１】
その他に、収納型ディスプレイユニットをディスプレイ部の出し入れと視認角度の調整を自動で行う機器として説明したが、これに限らず、例えば、出し入れのみを自動で行い、視認角度の調整を手動で行う機器、または、全てを手動で行う機器にも適用することができる。
【００５２】
【発明の効果】
以上説明したように本発明によれば、収納型ディスプレイユニットのディスプレイ部をモニタリング状態にした場合においても、ディスプレイ部の背面側の後方に配設された、その他の機器の操作を妨げることのない電子機器を提供することができる。
【図面の簡単な説明】
【図１】本発明の第１実施の形態に係る電子機器の構成を示す概略側面図（収納型ディスプレイユニットのモニタリング状態）である。
【図２】本発明の第１実施の形態に係る電子機器を示す概略側面図（収納型ディスプレイユニットの収納状態）である。
【図３】本発明の第１実施の形態に係る電子機器を示す概略正面図（収納型ディスプレイユニットの収納状態）である。
【図４】本発明の第１実施の形態と一部が異なる電子機器の構成を示す概略側面図である。
【図５】本発明の第２実施の形態に係る電子機器の構成を示す概略側面図（収納型ディスプレイユニットのモニタリング状態）である。
【図６】本発明の第２実施の形態に係る電子機器を示す概略側面図（収納型ディスプレイユニットの収納状態）である。
【図７】従来例の電子機器の構成を示す概略側面図（収納型ディスプレイユニットのモニタリング状態）である。
【図８】従来例の電子機器を示す概略正面図（収納型ディスプレイユニットの収納状態）である。
【符号の説明】
１０，１１・・電子機器
２０・・オーディオ装置
２１・・前面ユニット
２２・・前面部
２３・・挿入排出口
２４・・釦
２５・・液晶表示部
３０，４０・・収納型ディスプレイユニット
３１，４１・・ディスプレイ部
３２・・回動支軸
３３・・外周上端部
３４，４３・・釦
３５・・スライダ
４２・・傾斜面
４４・・突出部
９０・・ダッシュボード
９１・・操作釦
【図１】
2004314777.tif 000003
【図２】
2004314777.tif 000004
【図３】
2004314777.tif 000005
【図４】
2004314777.tif 000006
【図５】
2004314777.tif 000007
【図６】
2004314777.tif 000008
【図７】
2004314777.tif 000009
【図８】
2004314777.tif 000010